(57)【要約】【課題】絵画、陶芸、彫刻などの芸術性のある作品を玄関、応接間、エントランスホール、展示場などの展示場所に経済的負担を軽くして設置または展示することを望む愛好家、企業、及び各種団体など、愛好家等と制作意欲は高いが経済的に裕福ではない若い制作者に作品の展示や販売の機会を増やすビジネスモデルを提供する。【解決手段】インターネットを利用して募集したアート商品の愛好家等と制作者間にネットワークを形成し、登録された作品をレンタルまたはリースと言う賃貸借契約によって、愛好家等には比較的少ない経済的負担で作品の展示等を可能とし、制作者には作品の展示および販売の機会を増やすことによって両者の課題を解決した。【選択図】　図１
2004013884.tif 000002
【特許請求の範囲】
【請求項１】
アート商品の賃貸借契約ビジネスにおいて、
制作者から貸出および販売を委託された作品を預かり、該作品を希望者にレンタルまたはリースで貸出を行い、レンタルまたはリース契約終了後に購入を希望する人には作品を販売することを特徴とするアート商品の賃貸借契約ビジネス。
【請求項２】
アート賃貸借契約商品が絵画、陶芸、彫刻など、芸術作品であることを特徴とする請求項１に記載のアート商品の賃貸借契約ビジネス。
【請求項３】
アート賃貸借契約商品の受付、宣伝、契約、手続などを全てインターネットで行うことを特徴とする請求項１に記載のアート商品の賃貸借契約ビジネス。
【発明の詳細な説明】
【０００１】
【発明の属する技術分野】
本発明は絵画、陶芸、彫刻などのアート商品の賃貸借契約（レンタルまたはリース契約、以後、賃貸借をレンタルと称す）ビジネスに関する。
【０００２】
【従来の技術】
絵画、陶芸、彫刻などの芸術性のある作品は、愛好家、企業、及び各種団体などに買い求められ玄関、応接室、エントランスホール、展示場などに設置または展示されて多くの人の目を楽しませる目的を持つと共に財産としての価値を持つ物であった。
【０００３】
絵画等の芸術作品を通常の取引方法の売買契約でなく、賃貸借契約であるレンタルまたはリースを利用して展示等を行う方法について特開平６−３２５０５３と特開平６−１０９９に開示されている。
【０００４】
【発明が解決しようとする課題】
絵画、陶芸、彫刻などの芸術性のある作品は、愛好家、企業、及び各種団体が競って購入して設置や展示をし、アート商品の市場は活気にみなぎり価格も高騰した。しかしバブル経済の崩壊後はアート商品の価格は暴落し、同時に市場の活気も低下した。だが、芸術性の高い作品は見る人に安らぎを与えることの効果があり、多くの企業のエントランスホールには相変わらず絵画や彫刻などを展示し、地方都市の美術館等では常設展示の希望が多い。
【０００５】
また、芸術大学や美術大学を卒業して絵画、陶芸、彫刻などの制作者を目指す若者は数多く、彼らは精魂詰めて作成した作品を日展、二科展などの展覧会や個展に出品あるいは画集などの作品集を作成して、名声を得ようとすると同時に作品を購入希望者に販売し、次の作品の制作費や生活費など経済的な満足を得ようとするが容易には目的を達成することができない。
【０００６】
特開平６−３２５０５３は、絵画等のレンタルについて開示されているが商品としての作品管理システムに関するもので、愛好家、企業、及び各種団体などが希望する絵画等の作品を入手して展示する方法および制作者の育成法などに関するビジネスモデルを開示するものでない。また、特開平６−１０９９は不特定多数の人が集まる場所において、空間を埋めるために利用される広告宣伝に絵画等をリースして使用することに関するものであって、本発明のビジネスモデルとは趣旨を異にするものである。
【０００７】
本発明は、係る制作者に作品展示の機会を与えると共に経済的な負担を行い、同時に絵画、陶芸、彫刻などの芸術作品を設置、展示することを欲する愛好家、企業および各種団体などの希望を満たすビジネスモデルを提供することを目的とする。
【０００８】
【課題を解決するための手段】
芸術大学や美術大学を卒業して間もない芸術家や作品の展示などの機会に恵まれない制作者の制作した絵画、陶芸、彫刻などの作品を一時的に預かり、一方、該作品を玄関、応接間、エントランスホール、展示場などの展示場所に展示することを希望する愛好家、企業および各種団体などに比較的低価格な賃貸借契約料金で借り上げて貰うことによって課題を解決した。
【０００９】
賃貸借契約には長期間にわたる賃貸借契約のリースと、短期間の賃貸し制のレンタルとがあるが、本発明ではそれを区別しないでレンタルと言う。レンタルされた作品は、愛好家、企業および各種団体などの玄関、応接間、エントランスホール、展示場での展示中に製作者の氏名が明示されることによって作者を世間に売り込むことが可能となり、知名度を上げるための一助となる。また、同時にレンタル料収入によって次の作品の制作に取りかかれる。
【００１０】
作者からレンタルされて展示された絵画、陶芸、彫刻などの作品は、借りている人が購入を希望すれば購入できるシステムとすることによって気にいった作品を購入することになり、無駄を省けると同時に絵画展や個展でしか展示や販売の機会がない制作者には展示および販売機会を与えることよって芸術作品の流通を活性化させる効果がある。
【００１１】
絵画、陶芸、彫刻などの作品の受付、作品の宣伝、借り上げまたは購入希望者の募集、賃貸契約、などの諸手続はインターネットを利用した電子取引とすることによって手数料を低減して比較的低価格で作品のレンタルや購入を可能とする。
【００１２】
本発明は、通常のインターネットを利用した絵画、陶芸、彫刻など芸術作品のオークションまたは逆オークションとは異なり、先ずレンタルして作品を設置または展示して良く見て気に入った作品のみを購入することが可能となる。また、主催者は、制作者から依頼された作品をインターネットで展示してレンタルまたは購入希望者を募集するので作品が売れ残って在庫費が嵩むこともない。
【００１３】
【発明の実施の形態】
本発明の実施の形態を、図面を用いて説明する。図１は実施の形態の一例である。本発明の実施の主催者、一般的には会社となるが、はインターネットで絵画、陶芸、彫刻などの作品のレンタルおよび販売を委託してくれる制作者を募り、希望する制作者と賃貸借契約を行って後、インターネットで作品を借りてくれる希望者を募集する。
【００１４】
レンタルまたは購入希望者は、作品および作品のレンタル料金などの条件を確認して主催者と賃貸借契約を結ぶ。次に主催者は制作者に連絡して作品を所定の場所に搬送する。この場合、作品の保険、運送費などの諸経費は希望者の負担とすることによって主催者の負担を低減し、それがレンタル料および購入価格を低く抑えることになる。
【００１５】
作品の販売価格は制作者の希望を考慮しながらも制作者の経験、実績、作品の形態などによって決定してインターネット上で公開されるので希望者は、それらの条件をみながら希望の作品を借りることが可能となる。
【００１６】
【発明の効果】
絵画、陶芸、彫刻などの芸術性のある作品を、玄関、応接室、エントランスホール、展示場などに設置または展示を希望する該作品の愛好家、企業、及び各種団体は、レンタルまたはリースと言う賃貸借契約によって好みの作品を経済的負担を押さえてかなえることが出来るので、芸術の普及の一助となる。
【００１７】
また、芸術大学や美術大学を卒業して絵画、陶芸、彫刻などの一流の制作者を目指す若者には日展、二科展などの展覧会や個展など、数少ない発表機会以外に作品の賃貸借契約によって広く展示する場所を得ると同時に次の作品の制作費や生活費など経済的な満足が得られる。
【図面の簡単な説明】
【図１】本発明のアート商品の賃貸借契約の状態を示す概念図である。
【図１】
2004013884.tif 000003